(57)【要約】      （修正有）【課題】傘を差さずに、本レインコートを着るだけで、人間も荷物等も濡れないレインコートを可能にする。特にお年寄り等が、雨の日に両手に荷物や杖等を持っても安全に歩行できるレインコートを可能にする。【解決手段】レインコートの前身頃１と後ろ身頃を膝下の丈を持つほぼ正円型のマント式にし、フード５を装着する。従って、両手に荷物を持った場合でも、人間も荷物等も濡れないので、傘を差す必要がなくなり、上述の問題を解決し、生活利便の向上に役に立つ。又、フードの耳の部分のみにネット材を使うことで、声や音が聞こえ、事故から安全に守る。【選択図】図１
0003114963.tif 000002
【実用新案登録請求の範囲】
【請求項１】
図２、３のように、レインコートの前身頃１、２と後ろ身頃３、４を膝下の丈を持つほぼ正円型のマント式にし、フード５を装着した、両手に持った荷物等が濡れないマント式レインコート。
【請求項２】
請求項１の前身頃１、２に外側に手を出す為のスリットとスリットカバーを装着した、請求項１の両手に持った荷物等が濡れないマント式レインコート。
【請求項３】
請求項１のフード５に、透明なビニール等適宜素材でつくった鍔８を装着し、且つ、耳の部分のみネット材１３を用いることで、声や音が聞こえる、請求項１、請求項２の両手に持った荷物等が濡れないマント式レインコート。
【請求項４】
請求項１、請求項２を、透明なビニール等適宜素材でつくった請求項１、請求項２、請求項３の両手に持った荷物等が濡れないマント式レインコート。
【請求項５】
請求項１の身頃１、２、３、４の適宜な場所に反射テープ１１を装着した、請求項１、請求項２、請求項３、請求項４の両手に持った荷物等が濡れないマント式レインコート。
【考案の詳細な説明】
【技術分野】
【０００１】  本考案は、レインコートの前身頃１、２と後ろ身頃３、４を膝下の丈を持つほぼ正円型のマント式にしてフレアをたっぷりと取り、フード５を装着することで、傘を差さずに両手に荷物等を持っても、人間も荷物等も濡れない、マント式レインコートである。
【背景技術】
【０００２】  従来のレインコートは、身頃と袖が別になっており、手に荷物等を持つと、荷物等はレインコートの外側に持たざるを得なかった為、荷物が雨に濡れた。マント式のレインコートもあったが、袖の部分は手首までで、前述のレインコートと同様に、手に持った荷物等はコートの外側に持たざるを得なかった。しかし、お年寄り等は、両手に荷物を持って傘を差すことは難しく、雨の日の買い物等が不便であった。
【考案の開示】
【考案が解決しようとする課題】
【０００３】  雨の日の外出の際、傘を差さずに、レインコートを着るだけで、人間も荷物等も濡れないレインコートが必要だった。特に、雨の日にお年寄りが買い物に出かける際等、片手で傘を差す必要がなければ、荷物を持ったり、杖を突いたり、ショッピングカートを押したりすることができ、手に持った荷物等が濡れないレインコートが必要であった。従って、レインコートの身頃を膝下の丈を持つほぼ正円型のマント式にしてフレアをたっぷりと取り、フード５を装着することで、両手に荷物や杖等を持っても、人間も荷物等も濡れず、前述の欠点を解決するものである。
【課題を解決するための手段】
【０００４】  本考案は、レインコートの前身頃１、２と後ろ身頃３、４を膝下丈のほぼ正円型のマント式にしてフレアをたっぷりと取り、フード５を装着する。フード５は、耳の部分のみにネット材１３を当て、声や音が聞こえるようにし、交通事故などの安全性に配慮する。よって、袖口に当たる部分は、身頃が指先よりも長くなる為、手に持った荷物等が濡れない。【０００５】  又、前身頃は透明なビニール等適宜素材で作ることにより、レインコートを着た状態で手元や足元を目で確認することができることで、杖を使って歩行することを可能にする。さらに、前身頃に手を出す為のスリット６を入れることで、改札口でカードを出す時等に容易に手を出すことができる。このような際、前身頃にフレアがたっぷりとある為、レインコートの内側で荷物等を持ち替えることも容易である。さらに、身頃の適宜な場所に反射テープ１１を装着し、夜間歩行の安全にも配慮する。【０００６】  従って、傘を差さずに、両手に荷物等を持っても、人間も荷物等も濡れないレインコートを可能にし、従来、傘を差さずにレインコートを着ると、人間は濡れなくても、荷物が濡れてしまった欠点を解決している。
【考案の効果】
【０００７】  上述の様に、本考案の両手に持った荷物等が濡れないマント式レインコートは、身頃を膝下の丈を持つほぼ正円型のマント式にし、フード５を装着するすることで、傘を差さずに本レインコートを着るだけで、人間も荷物等も濡れないレインコートを可能にする。よって、雨の日でも傘を差す必要がない為、両手に荷物等を持つことができ、生活利便の向上に役に立つ。特にお年寄り等は、雨の日でも杖を突きながら荷物が持てる等、雨の日に楽に安全に荷物等を持って歩行できることで、福祉面でも役に立つ。又、前身頃を透明なビニール等適宜素材で作ることにより、手元や足元が目視でき、杖を使っても安全に歩行できる。
【考案を実施するための最良の形態】
【０００８】  図２、図３のように、レインコートの前身頃１、２と後ろ身頃３、４を膝下の丈を持つほぼ正円型のマント式にしてフレアをたっぷりと取り、フード５を装着する。【０００９】  前身頃１、２には、図２のように、手を外側に出す為の縦長のスリット６を設け、手が外側で自由に動けるようにし、さらにスリット部分から雨が入らないようにカバー７を装着する。【００１０】  フード５には、顔に雨が当たらないように、透明なビニール等適宜素材でつくった鍔８を装着し、また耳の部分にのみネット材１３を用い、、声や音が聞こえるようにし、事故に巻き込まれないようにする。【００１１】  身頃１、２、３、４の適宜な場所に反射テープ１１を装着し、夜間歩行の安全性にも配慮する。
【実施例】
【００１２】  以下、本考案を限定することを目的としない、本考案の実施例を図面に従って説明する。
図２、図３のように、レインコートの前身頃１、２と後ろ身頃３、４を膝下の丈を持つほぼ正円型のマント式にし、フード５を装着する。前身頃１、２は透明なビニール等耐水性の適宜素材で作る。後ろ身頃３、４とフード５は透明とは限らないビニール等耐水性の適宜素材で作る。【００１３】  前身頃１、２には、図２のように、手を出す為の縦長のスリット６を設け、さらにスリット部分から雨が入らないようにカバー７を装着する。【００１４】  フード５には、透明なビニール等適宜素材でつくった鍔８を装着する。さらに、耳の部分のみネット材１３を用いて、声や音が聞こえやすくする。【００１５】  身頃１、２、３、４の適宜な場所に反射テープ１１を装着し、夜間歩行の安全性にも配慮する。【００１６】  本考案の一実施例は上述の如き構成からなるものであるから、傘を差さずに、本レインコートを着ただけで、人間も両手に持つ荷物等も濡れないレインコートを可能にした。
【図面の簡単な説明】
【００１７】
【図１】両手に持った荷物等が濡れないマント式レインコートの一実施例の使用例の正面図
【図２】両手に持った荷物等が濡れないマント式レインコートの一実施例の身頃の型紙を示す展開図
【図３】両手に持った荷物等が濡れないマント式レインコートの一実施例のフードの型紙を示す展開図
【符号の説明】
【００１８】  １、２  前身頃
３、４  後ろ身頃
５  フード
６  スリット
７  スリットのカバー
８  鍔
１１  反射テープ
１３  ネット材
【図１】
0003114963.tif 000003
【図２】
0003114963.tif 000004
【図３】
0003114963.tif 000005
【手続補正書】
【提出日】平成17年2月9日(2005.2.9)
【手続補正１】
【補正対象書類名】実用新案登録請求の範囲
【補正対象項目名】請求項１
【補正方法】変更
【補正の内容】
【請求項１】
図１、２のように、レインコートの前身頃１、２と後ろ身頃３、４を膝下の丈を持つほぼ正円型のマント式にし、前身頃１、２に、外側に肘まで手を出す為の長めのスリットとスリットカバーを装着した、両手に持った荷物等が濡れないマント式レインコート。
【手続補正２】
【補正対象書類名】実用新案登録請求の範囲
【補正対象項目名】請求項２
【補正方法】変更
【補正の内容】
【請求項２】
請求項１に、フードを装着した、請求項１の両手に持った荷物等が濡れないマント式レインコート。
【手続補正３】
【補正対象書類名】実用新案登録請求の範囲
【補正対象項目名】請求項３
【補正方法】変更
【補正の内容】
【請求項３】
請求項１にフード５を装着し、フード５に、透明なビニール等適宜素材でつくった鍔８を装着し、且つ、耳の部分のみネット材１３を用いる等することで、声や音が聞こえる、請求項１の両手に持った荷物等が濡れないマント式レインコート。
【手続補正４】
【補正対象書類名】明細書
【補正対象項目名】０００４
【補正方法】変更
【補正の内容】
【０００４】  本考案は、レインコートの前身頃１、２と後ろ身頃３、４を膝下丈のほぼ正円型のマント式にしてフレアをたっぷりと取り、フードを装着する。フードは５のように、耳の部分のみにネット材１３を当てる等して、声や音が聞こえるようにし、交通事故などの安全性に配慮する。よって、袖口に当たる部分は、身頃が指先よりも長くなる為、手に持った荷物等が濡れない。
【手続補正５】
【補正対象書類名】明細書
【補正対象項目名】０００５
【補正方法】変更
【補正の内容】
【０００５】  又、前身頃は透明なビニール等適宜素材で作ることにより、レインコートを着た状態で手元や足元を目で確認することができることで、杖を使って歩行することを可能にする。さらに、前身頃に肘まで手を出す為の長めのスリット６を入れることで、改札口でカードを出す時等に容易に手を出すことができる。このような際、前身頃にフレアがたっぷりとある為、レインコートの内側で荷物等を持ち替えることも容易である。さらに、身頃の適宜な場所に反射テープ１１を装着し、夜間歩行の安全にも配慮する。
【手続補正６】
【補正対象書類名】明細書
【補正対象項目名】０００９
【補正方法】変更
【補正の内容】
【０００９】  前身頃１、２には、図２のように、肘まで手を外側に出す為の縦長のスリット６を設け、手が外側で自由に動けるようにし、さらにスリット部分から雨が入らないようにカバー７を装着する。
【手続補正７】
【補正対象書類名】明細書
【補正対象項目名】００１０
【補正方法】変更
【補正の内容】
【００１０】  フードは５のように、顔に雨が当たらないように、透明なビニール等適宜素材でつくった鍔８を装着し、また耳の部分はネット材１３を用いる等して、声や音が聞こえるようにし、事故に巻き込まれないようにする。
【手続補正書】
【提出日】平成17年6月27日(2005.6.27)
【手続補正１】
【補正対象書類名】実用新案登録請求の範囲
【補正対象項目名】請求項１
【補正方法】変更
【補正の内容】
【請求項１】
レインコートの前身頃１、２と後ろ身頃３、４を膝下の丈を持つほぼ正円型のマント式にし、前身頃１、２に、外側に肘まで手を出す為の長めのスリットとスリットカバーを装着した、両手に持った荷物等が濡れないマント式レインコート。